(57)【特許請求の範囲】
【請求項１】
太陽光から直接電力を取り出すための太陽電池モジュールと、太陽光から熱エネルギを取り出すための集熱パネルとの組み合わせからなる光発電−集熱ハイブリッドパネルであって、
前記集熱パネルには、当該ハイブリッドパネルの外部に設けた外部熱受容部から循環してくる外部二次冷媒と、所定の熱交換部にて熱的に接触し、太陽光から吸収した熱を該外部二次冷媒に与えるための内部一次冷媒が予め封入されていることを特徴とする冷媒封入型の光発電−集熱ハイブリッドパネル。
【請求項２】
前記集熱パネルは、剛性のある素材から作られ、かつ、前記太陽電池モジュールの裏面に取着される板状の熱コレクタを有し、該熱コレクタの内部には密封空間が設けられ、該密封空間内には前記内部一次冷媒が予め封入されていることを特徴とする請求項１記載の冷媒封入型の光発電−集熱ハイブリッドパネル。
【請求項３】
前記密封空間は、板状の前記熱コレクタ内に広く分布し、かつ、剛性のある隔壁によって互いに仕切られた複数の空間からなることを特徴とする請求項２記載の冷媒封入型の光発電−集熱ハイブリッドパネル。
【請求項４】
前記密封空間は、板状の前記熱コレクタ内に広がり、かつ、該密封空間には、その天井部を支えるために、剛性のある複数の支持部材が散在していることを特徴とする請求項２記載の冷媒封入型の光発電−集熱ハイブリッドパネル。
【請求項５】
前記密封空間は、傾斜設置面の流れ方向にそれぞれ延びる複数の縦長空間からなり、これらの縦長空間は、剛性のある隔壁によって、互いに仕切られた状態で、前記太陽電池モジュールの裏面に沿って並設されていることを特徴とする請求項３記載の冷媒封入型の光発電−集熱ハイブリッドパネル。
【請求項６】
前記太陽電池モジュールは、複数の太陽電池セルを透明基板上に封止状態に配設してなる太陽電池パネルと、該太陽電池パネルをその周端部にて支える枠体とからなると共に、
該枠体内には、前記集熱パネルを構成する前記板状の熱コレクタも嵌合状態に納設され、かつ、該熱コレクタの裏面と前記枠体の下面とが、略面一に設定されていることを特徴とする請求項２，３，４又は５記載の冷媒封入型の光発電−集熱ハイブリッドパネル。
【請求項７】
前記内部一次冷媒は、少なくとも代替フロン又はエチレングリコールを含んでなることを特徴とする請求項１，２，３，４，５又は６記載の冷媒封入型の光発電−集熱ハイブリッドパネル。
【請求項８】
太陽光から直接電力を取り出すための太陽電池モジュールと、太陽光から熱エネルギを取り出すための集熱パネルとの組み合わせからなる光発電−集熱ハイブリッドパネルであって、
前記太陽電池モジュールは、複数の太陽電池セルを透明基板上に封止状態に配設してなる太陽電池パネルと、該太陽電池パネルをその周端部にて支える枠体とからなると共に、
前記集熱パネルは、前記太陽電池モジュールの裏面に取着される板状の熱コレクタを有し、該熱コレクタの内部には冷媒が通過する両端開口の冷媒通路が設けられていて、かつ、前記太陽電池モジュールの枠体内には、前記集熱パネルを構成する前記板状の熱コレクタも嵌合状態に納設され、かつ、該熱コレクタの裏面と前記枠体の下面とが、略面一に設定されていることを特徴とする冷媒循環型の光発電−集熱ハイブリッドパネル。
【請求項９】
屋根下地が屋根枠材に支持固定されてなる屋根パネルの上面に、請求項１，２，３，４，５，６，７又は８記載の光発電−集熱ハイブリッドパネルが、予め一体的に取付固定されてなることを特徴とする屋根パネル。
【請求項１０】
前記屋根下地は、屋根裏材−断熱材−野地板−防水シートの順の層構造からなることを特徴とする請求項９記載の屋根パネル。
【請求項１１】
前記屋根下地及び前記光発電−集熱ハイブリッドパネルは、傾斜屋根面の流れ方向と直交する方向にて相対向するそれぞれの両側面を一対の屋根枠材によって共に挟接される態様で、当該一対の屋根枠材にそれぞれ固定されていることを特徴とする請求項９又は１０記載の屋根パネル。
【請求項１２】
請求項９，１０又は１１記載の屋根パネルと、該屋根パネルを支持するための支持構造部とを有してなることを特徴とする光発電−集熱ハイブリッドパネルを備える屋根ユニット。
【請求項１３】
建物内の給湯設備又は暖房設備に温水を供給するための貯湯槽と、建物の屋根上に設置される請求項１，２，３，４，５，６又は７記載の冷媒封入型の光発電−集熱ハイブリッドパネルと、
該光発電−集熱ハイブリッドパネルの一部を構成する前記集熱パネル内に封入された前記内部一次冷媒と前記集熱パネル外の前記外部二次冷媒との間で熱交換を行わせる熱交換部と、
該熱交換部と前記貯湯槽との間を結んで、前記外部二次冷媒の循環路を構成するための配管と、該配管内に封入された前記外部二次冷媒を強制的に循環させるためのポンプとを有してなることを特徴とするソーラシステム。
【請求項１４】
建物内の給湯設備又は暖房設備に温水を供給するための貯湯槽が備えられ、かつ、傾斜屋根上には請求項１，２，３，４，５，６又は７記載の冷媒封入型の光発電−集熱ハイブリッドパネルが設置されてなるソーラシステム建物であって、
前記光発電−集熱ハイブリッドパネルの棟側である上端部には、該光発電−集熱ハイブリッドパネルの一部を構成する前記集熱パネル内に封入された前記内部一次冷媒と前記集熱パネル外の前記外部二次冷媒との間で熱交換を行わせる熱交換部が設けられ、該熱交換部と前記貯湯槽とが配管で結ばれて前記外部二次冷媒の循環路が構成され、かつ、該循環路には前記外部二次冷媒を強制的に循環させるためのポンプが設置されていることを特徴とするソーラシステム建物。
【請求項１５】
建物の屋根上に設置される請求項８記載の冷媒循環型の光発電−集熱ハイブリッドパネルと、
前記建物内の給湯設備又は暖房設備に温水を供給するための貯湯槽と、
前記光発電−集熱ハイブリッドパネルと前記貯湯槽との間を結んで、前記冷媒の循環路を構成するための配管と、
該配管内に封入された前記冷媒を強制的に循環させるためのポンプとを有してなることを特徴とするソーラシステム。
【請求項１６】
建物内の給湯設備又は暖房設備に温水を供給するための貯湯槽が備えられ、かつ、屋根上には請求項８記載の冷媒循環型の光発電−集熱ハイブリッドパネルが設置されてなるソーラシステム建物であって、
前記光発電−集熱ハイブリッドパネルと前記貯湯槽とが配管で結ばれて前記冷媒の循環路が構成され、かつ、該循環路には前記冷媒を強制的に循環させるためのポンプが設置されていることを特徴とするソーラシステム建物。
【請求項１７】
前記循環路内を流れる前記外部二次冷媒又は冷媒は、少なくとも代替フロン又はエチレングリコールを含んでなることを特徴とする請求項１４又は１６記載のソーラシステム建物。
【請求項１８】
前記暖房設備は、温水床暖房設備であることを特徴とする請求項１４又は１６記載のソーラシステム建物。
【発明の詳細な説明】
【０００１】
【発明の属する技術分野】
この発明は、太陽光から電力及び熱エネルギを取り出す光発電−集熱ハイブリッドパネル、並びに該光発電−集熱ハイブリッドパネルを備える屋根パネル、屋根ユニット、ソーラシステム及びソーラシステム建物に関する。
【０００２】
【従来の技術】
近年、建物の工業生産化率を高める一方式として、ユニット建物が広く普及している。このユニット建物は、一棟の建物を、予めいくつかのユニットに分けて工場生産し、これらを建築現場において施工、組立する方式の建物である。ユニット建物を構成するユニットとしては、建物の居間、食堂、寝室、子供部屋等の各部屋部分を構成する建物ユニットと、建物の屋根部分を構成する屋根ユニットとがある。これらのユニットは、予め工場で生産され、建築現場に輸送されて、予め準備した基礎の上で施工・組立される。組立は、まず、建物ユニットを相互に連結した状態で基礎の上に据え付け、次に、据え付けられた各建物ユニットの上部に、屋根ユニットを相互に連結した状態で据え付けて行われる。
【０００３】
一方、化石燃料の消費増大等に起因する地球環境問題・エネルギ枯渇問題の深刻化に伴い、ユニット建物等の住宅屋根の上に、太陽電池モジュールや集熱パネルをアレイ状に設置し、太陽光線から電力や熱エネルギを取り出して各種宅内電気機器や暖房システムに供給する住宅用ソーラシステムも普及してきている。
【０００４】
ところで、従来から、太陽電池モジュールと集熱パネルとをハイブリッドに構成することにより、太陽光線を光エネルギ及び熱エネルギの両面から有効に利用できるようにした光発電−集熱ハイブリッド装置が知られている。
この種のハイブリッド装置では、例えば、特開昭５６−６４４７４号公報等に記載されているように、集熱パネルは、太陽電池モジュールの裏面に取着された熱コレクタと、熱コレクタに吸収された熱を取り出すために、熱交換媒体を通流させる集熱パイプとから構成されている。
【０００５】
【発明が解決しようとする課題】
しかしながら、上記公報記載の従来ハイブリッド装置では、断面略円形の集熱パイプが熱コレクタの裏面（すなわち、装置の裏面）に外付けで配設されているため、このままでは、屋根への納まり（据付状態）が大変悪い、という欠点があった。このため、屋根面への固定が容易ではなく、屋根の構造如何によっては、固定構造が大変複雑になる場合もあり、しかも、現地屋根上での固定の仕方如何によっては、既設屋根の断熱構造や防水構造を破損する虞もあった。
また、従来では、集熱パイプ内を通流させる熱交換媒体として、水や油や空気等を用いていたため、熱交換効率が低く、このため、給湯負荷や暖房熱負荷の低減にはあまり寄与できていない、という欠点があった。
【０００６】
この発明は、上述の事情に鑑みてなされたもので、住宅屋根への納まりが良く、もって、取付施工負担の軽減に寄与できる光発電−集熱ハイブリッドパネルを提供することを目的としている。
また、この発明は、建物の工業生産化率を一層高め、品質の画一化、価格低廉化、現場施工負担の軽減化を促進するために、光発電−集熱ハイブリッドパネルを備える屋根パネル、屋根ユニットを提供をすることを別の目的としている。
また、この発明は、給湯負荷や暖房熱負荷の低減に寄与できるソーラシステム及びソーラシステム建物を提供することをさらに別の目的としている。
【０００７】
【課題を解決するための手段】
上記課題を解決するために、請求項１記載の発明は、太陽光から直接電力を取り出すための太陽電池モジュールと、太陽光から熱エネルギを取り出すための集熱パネルとの組み合わせからなる光発電−集熱ハイブリッドパネルであって、上記集熱パネルには、当該ハイブリッドパネルの外部に設けた外部熱受容部から循環してくる外部二次冷媒と、所定の熱交換部にて熱的に接触し、太陽光から吸収した熱を該外部二次冷媒に与えるための内部一次冷媒が予め封入されていることを特徴としている。
【０００８】
また、請求項２記載の発明は、請求項１記載の冷媒封入型の光発電−集熱ハイブリッドパネルであって、上記集熱パネルが、剛性のある素材から作られ、かつ、上記太陽電池モジュールの裏面に取着される板状の熱コレクタを有し、該熱コレクタの内部には密封空間が設けられ、該密封空間内には上記内部一次冷媒が予め封入されていることを特徴としている。
【０００９】
また、請求項３記載の発明は、請求項２記載の冷媒封入型の光発電−集熱ハイブリッドパネルであって、前記密封空間が、板状の前記熱コレクタ内に広く分布し、かつ、剛性のある隔壁によって互いに仕切られた複数の空間からなることを特徴としている。
【００１０】
また、請求項４記載の発明は、請求項２記載の冷媒封入型の光発電−集熱ハイブリッドパネルであって、前記密封空間が、板状の前記熱コレクタ内に広がり、かつ、該密封空間には、その天井部を支えるために、剛性のある複数の支持部材が散在していることを特徴としている。
【００１１】
また、請求項５記載の発明は、請求項３記載の冷媒封入型の光発電−集熱ハイブリッドパネルであって、上記密封空間が、傾斜設置面の流れ方向にそれぞれ延びる複数の縦長空間からなり、これらの縦長空間は、剛性のある隔壁によって、互いに仕切られた状態で、前記太陽電池モジュールの裏面に沿って並設されていることを特徴としている。
【００１２】
また、請求項６記載の発明は、請求項２，３，４又は５記載の冷媒封入型の光発電−集熱ハイブリッドパネルであって、上記太陽電池モジュールが、複数の太陽電池セルを透明基板上に封止状態に配設してなる太陽電池パネルと、該太陽電池パネルをその周端部にて支える枠体とからなると共に、該枠体内には、上記集熱パネルを構成する上記板状の熱コレクタも嵌合状態に納設され、かつ、該熱コレクタの裏面と上記枠体の下面とが、略面一に設定されていることを特徴としている。
【００１３】
また、請求項７記載の発明は、請求項１，２，３，４，５又は６記載の冷媒封入型の光発電−集熱ハイブリッドパネルであって、上記内部一次冷媒が、少なくとも代替フロン又はエチレングリコールを含んでなることを特徴としている。
【００１４】
また、請求項８記載の発明は、太陽光から直接電力を取り出すための太陽電池モジュールと、太陽光から熱エネルギを取り出すための集熱パネルとの組み合わせからなる光発電−集熱ハイブリッドパネルであって、上記太陽電池モジュールが、複数の太陽電池セルを透明基板上に封止状態に配設してなる太陽電池パネルと、該太陽電池パネルをその周端部にて支える枠体とからなると共に、上記集熱パネルが、上記太陽電池モジュールの裏面に取着される板状の熱コレクタを有し、該熱コレクタの内部には冷媒が通過する両端開口の冷媒通路が設けられていて、かつ、上記太陽電池モジュールの枠体内には、上記集熱パネルを構成する上記板状の熱コレクタも嵌合状態に納設され、かつ、該熱コレクタの裏面と上記枠体の下面とが、略面一に設定されていることを特徴としている。
【００１５】
また、請求項９記載の発明は、屋根下地が屋根枠材に支持固定されてなる屋根パネルであって、上記屋根下地の上面に、請求項１，２，３，４，５，６，７又は８記載の光発電−集熱ハイブリッドパネルが、予め取付固定されてなることを特徴としている。
【００１６】
また、請求項１０記載の発明は、請求項９記載の屋根パネルであって、上記屋根下地が、屋根裏材−断熱材−野地板−防水シートの順の層構造からなることを特徴としている。
【００１７】
また、請求項１１記載の発明は、請求項９又は１０記載の屋根パネルであって、上記屋根下地及び上記光発電−集熱ハイブリッドパネルが、傾斜屋根面の流れ方向と直交する方向にて相対向するそれぞれの両側面を一対の屋根枠材によって共に挟接される態様で、当該一対の屋根枠材にそれぞれ固定されていることを特徴としている。
【００１８】
また、請求項１２記載の発明は、光発電−集熱ハイブリッドパネルを備える屋根ユニットであって、請求項９，１０又は１１記載の屋根パネルと、該屋根パネルを支持するための支持構造部とを有してなることを特徴としている。
【００１９】
また、請求項１３記載の発明は、太陽光から電力及び熱エネルギを取り出して利用するソーラシステムであって、建物内の給湯設備又は暖房設備に温水を供給するための貯湯槽と、建物の屋根上に設置される請求項１，２，３，４，５，６又は７記載の冷媒封入型の光発電−集熱ハイブリッドパネルと、該光発電−集熱ハイブリッドパネルの一部を構成する上記集熱パネル内に封入された上記内部一次冷媒と上記集熱パネル外の上記外部二次冷媒との間で熱交換を行わせる熱交換部と、該熱交換部と上記貯湯槽との間を結んで、上記外部二次冷媒の循環路を構成するための配管と、該配管内に封入された上記外部二次冷媒を強制的に循環させるためのポンプとを有してなることを特徴としている。
【００２０】
また、請求項１４記載の発明は、建物内の給湯設備又は暖房設備に温水を供給するための貯湯槽が備えられ、かつ、傾斜屋根上には請求項１，２，３，４，５，６又は７記載の冷媒封入型の光発電−集熱ハイブリッドパネルが設置されてなるソーラシステム建物であって、上記光発電−集熱ハイブリッドパネルの棟側である上端部には、該光発電−集熱ハイブリッドパネルの一部を構成する上記集熱パネル内に封入された上記内部一次冷媒と上記集熱パネル外の上記外部二次冷媒との間で熱交換を行わせる熱交換部が設けられ、該熱交換部と上記貯湯槽とが配管で結ばれて上記外部二次冷媒の循環路が構成され、かつ、該循環路には上記外部二次冷媒を強制的に循環させるためのポンプが設置されていることを特徴としている。
【００２１】
また、請求項１５記載の発明は、太陽光から電力及び熱エネルギを取り出して利用するソーラシステムであって、建物の屋根上に設置される請求項８記載の冷媒循環型の光発電−集熱ハイブリッドパネルと、上記建物内の給湯設備又は暖房設備に温水を供給するための貯湯槽と、上記光発電−集熱ハイブリッドパネルと上記貯湯槽との間を結んで、上記冷媒の循環路を構成するための配管と、該配管内に封入された上記冷媒を強制的に循環させるためのポンプとを有してなることを特徴としている。
【００２２】
また、請求項１６記載の発明は、建物内の給湯設備又は暖房設備に温水を供給するための貯湯槽が備えられ、かつ、屋根上には請求項８記載の冷媒循環型の光発電−集熱ハイブリッドパネルが設置されてなるソーラシステム建物であって、上記光発電−集熱ハイブリッドパネルと上記貯湯槽とが配管で結ばれて上記冷媒の循環路が構成され、かつ、該循環路には上記冷媒を強制的に循環させるためのポンプが設置されていることを特徴としている。
【００２３】
また、請求項１７記載の発明は、請求項１４又は１６記載のソーラシステム建物であって、上記循環路内を流れる上記外部二次冷媒又は冷媒が、少なくとも代替フロン又はエチレングリコールを含んでなることを特徴としている。
【００２４】
また、請求項１８記載の発明は、請求項１４又は１６記載のソーラシステム建物であって、上記暖房設備が、温水床暖房設備であることを特徴としている。
【００２５】
【作用】
請求項１乃至７記載の冷媒封入型の光発電−集熱ハイブリッドパネルでは、集熱パネル内に、内部一次冷媒が予め封入されているので、設置の際、集熱パネル内に冷媒を流し込む作業（冷媒通流用の配管ジョイント作業）を省略できる。それゆえ、設置作業が安全かつ簡易となる。
【００２６】
また、請求項２，３，４，５記載の冷媒封入型及び請求項８記載の冷媒循環型の光発電−集熱ハイブリッドパネルでは、集熱パネルが、太陽電池モジュールの裏面に取着される板状の熱コレクタの内部に内部一次冷媒が予め封入され、あるいは冷媒通路が設けられているので、集熱効率が極めて高く、それゆえ、給湯負荷や暖房熱負荷の低減に寄与できる。この場合、内部一次冷媒を封入するための密封空間又は冷媒を通流させる冷媒通路を（太陽電池モジュールの裏面全域に対応する）熱コレクタの略全域に設けることが、太陽電池モジュールを冷却して発電効率を上げ、集熱パネルの集熱効率を高める上で、大変好ましい。
また、内部一次冷媒として、例えば代替フロンやエチレングリコール等を用いるようにすれば、熱交換効率が向上するので、給湯負荷や暖房熱負荷をさらに一段と低減できる。
【００２７】
また、請求項６記載の冷媒封入型及び請求項８記載の冷媒循環型の光発電−集熱ハイブリッドパネルでは、太陽電池モジュールの枠体内に、集熱パネルを構成する上記板状の熱コレクタも嵌合状態に納設され、かつ、該熱コレクタの裏面と上記枠体の下面とが、略面一に設定されているので、住宅屋根面に熱コレクタを密着載置することが可能である。このようにすれば、屋根面と熱コレクタ裏面との間に放熱通気槽ができず、さらに、屋根下地を断熱構造とすれば、熱が屋根下地を介して逃げることもなくなるので、集熱パネルの集熱効率をさらに一段と向上させることができる。
加えて、屋根への納まりが良く、屋根との一体化が容易（請求項１１記載の屋根パネル）となるので、現場での取付施工負担を軽減できる。
【００２８】
また、この発明の冷媒封入型及び冷媒循環型の光発電−集熱ハイブリッドパネルを備える屋根パネル及び屋根ユニットによれば、建物の工業生産化率を一層高め、品質の画一化、価格低廉化、現場施工負担の軽減化を一層達成できる。
【００２９】
また、請求項１３（１４）記載の冷媒封入型の光発電−集熱ハイブリッドパネルを備えるソーラシステム（ソーラシステム建物）では、集熱パネル内の密封空間に封入された内部一次冷媒は、太陽光から吸収した熱で温度上昇し、対流ないしは気化により熱交換部と熱的に接触する密封空間の上端部に移動する。密封空間の上端部に到達した内部一次冷媒は、熱交換部に移ることはできないが、熱交換部内の外部二次冷媒に熱を与える。これにより冷却した内部一次冷媒は、対流ないしは液化により密封空間の下端部に沈み込む。密封空間の下端部に沈み込んだ内部一次冷媒は、再び、太陽光Ｓから吸収した熱で温度上昇し、上述のサイクルを繰り返す。
一方、外部二次冷媒は、熱交換部にて内部一次冷媒から熱を与えられ、高温媒体となって貯湯槽に送られる。そして、貯湯槽に蓄えられる水に熱を与える。
低温になった外部二次冷媒は、再び、ポンプ力により屋根上の熱交換部に送られる。このように、外部二次冷媒は、熱交換部と蓄熱槽との間を循環して、集熱パネルが太陽光から吸収した熱を貯湯槽に運ぶ。貯湯層は蓄熱可能な熱源となって、給湯負荷及び暖房熱負荷の低減に利用される。
【００３０】
また、請求項１５（１６）記載の冷媒循環型の光発電−集熱ハイブリッドパネルを備えるソーラシステム（ソーラシステム建物）では、強制的に循環路内の冷媒を通流させると、冷媒が、熱コレクタ内の冷媒通路を通過する間に熱を吸収して温度上昇し、高温媒体となって貯湯槽に送られて、そこに蓄えられる水に熱を与える。低温になった冷媒は、再び、屋根上の熱コレクタに送られる。このように、冷媒は熱コレクタと蓄熱槽との間を循環して、集熱パネルが太陽光から吸収した熱を貯湯槽に運ぶ。貯湯層は蓄熱可能な熱源となって、給湯負荷及び暖房熱負荷の低減に利用される。
【００３１】
【発明の実施の形態】
以下、図面を参照して、この発明の実施の形態について説明する。説明は、実施例を用いて具体的に行う。
◇第１実施例
光発電−集熱ハイブリッドパネルの構成
図１は、この発明の第１実施例である光発電−集熱ハイブリッドパネルの構成を分解して示す分解斜視図、図２は、同光発電−集熱ハイブリッドパネルの外観構成を概略示す斜視図、また、図３は図２のＡ−Ａ線に沿う断面図である。
この例の光発電−集熱ハイブリッドパネル１Ａは、予め工場にて縦長型の屋根パネルと一体化されるもので、図１乃至図３に示すように、縦長型の屋根パネルに対応して、横寸法１７０〜１８０ｃｍ、縦寸法４００〜５００ｃｍの大きさに形成された太陽電池モジュール２の裏面に、略同寸の冷媒循環型の集熱パネル３Ａが接着されてなっている。
太陽電池モジュール２は、多数のシリコン太陽電池セル２１，２１，…を透明ガラス基板２２の裏面に封止状態に接着してなる太陽電池パネル２ａと、この太陽電池パネル２ａの四辺（周縁端部）に嵌め込まれた細長四角の枠体２３とから概略構成されている。さらに詳述すると、太陽電池パネル２ａは、白板強化ガラス等の透明ガラス基板２２と、リード線により直並列接続された状態で透明ガラス基板２２に貼り付けられる多数のシリコン太陽電池セル２１，２１，…と、シリコン太陽電池セル２１，２１，…を両面被覆して封止するＥＶＡ（エチレンビニルアセテート）等の一対の接着フィルム２４，２４との積層体で、この積層体の周縁端部をブチルゴム等の封止材で封止してなっている。
【００３２】
枠体２３は、内側面に断面コ字状の嵌合溝２３１と、上面にて外方水平に突出する取付用フランジ２３２を有するアルミ製の一対の縦枠２３ａ，２３ａと、嵌合溝２３１のみを有する横枠２３ｂ，２３ｂとから構成され、これらの縦枠２３ａ，２３ａ及び横枠２３ｂ，２３ｂが、太陽電池パネル２ａの対応する各辺（周縁端部）に嵌合された状態で、互いに突付けの状態となる端部同士を接合することで、細長四角に組み付けされてなっている。なお、縦枠２３ａ，２３ａに設けられた取付用フランジ２３２には、複数のビス孔が設けられていて、この例の光発電−集熱ハイブリッドパネル１Ａを屋根パネル４Ａに取付一体化する際、後述する取付縦桟（屋根構造部材）５５ａ，５５ａの上面に当接された状態で、取付縦桟５５ａ，５５ａにビス止めされるようになっている。
【００３３】
次に、集熱パネル３Ａは、表面に選択吸収膜３１を施された板状の熱コレクタ３２Ａからなり、この熱コレクタ３２Ａの内部には冷媒を通流させるための両端開口ジグザグ状の冷媒通路３３Ａ（図１ではジグザグの矢印で示す）が、太陽電池モジュール２の裏面全域に対応する略全域に設けられている。熱コレクタ３２Ａは、アルミ等の金属からなる上部集熱板３２１と下部集熱板３２２とからなっている。この例では、冷媒通路３３Ａは、下部集熱板３２２の上面に、予め両端開口のジグザグ溝を設け、このジグザグ溝の上面に上部集熱板３２１を被せ、両者をその当接部位の箇所で接着又は溶接して一体化することで形成されている。なお、冷媒通路３３Ａの図示せぬ入口端及び出口端は、集熱パネル３Ａの短辺側であって同一の端面に設けられ、継手を介して冷媒循環用のヘッダ（分配主管）８１，８２に連結可能となっている。そして、設置時には、光発電−集熱ハイブリッドパネル１Ａは、冷媒通路３３Ａの入口端及び出口端を屋根の棟側に向けて取付固定される。
選択吸収膜３１は、集熱効率を高く保つために太陽光から吸収した熱エネルギの放散を防ぐ機能を有し、上部集熱板３２１の表面にカーボン系の塗料を塗布することにより形成されている。ここで、選択吸収膜３１としては、太陽熱の吸収効率が高く、輻射率の低い性質を有する材料（例えば、太陽光線吸収率：α＝０．９１〜０．９４、放射率：ε＝０．０９〜０．１２）である限り、カーボン系の塗料に限定されない。
【００３４】
上記構成の光発電−集熱ハイブリッドパネル１Ａを製作するには、まず、白板強化ガラス等の透明ガラス基板２２−ＥＶＡ等の接着フィルム２４−シリコン太陽電池セル２１，２１，…−ＥＶＡ等の接着フィルム２４−選択吸収膜３１付きの熱コレクタ３２Ａの順に重ね、全体を熱圧着することにより、太陽電池パネル２ａの裏面に冷媒循環型の集熱パネル３Ａを固着して一体する。そして、次に、太陽電池パネル２ａの各辺（周縁端部）をブチルゴム等の封止材で封止し、最後に、縦枠２３ａ，２３ａ、横枠２３ｂ，２３ｂを太陽電池パネル２ａの各辺（周縁端部）に嵌め込んで組み付ける。なお、この例では、集熱パネル３Ａは、太陽電池モジュール２の裏面に選択吸収膜３１が密着した状態で、太陽電池モジュール２の枠体２３内に嵌合状態に納設され、しかも、熱コレクタ３２Ａの裏面と枠体２３の下面とが、略面一に設定されるようになっている。
【００３５】
屋根パネルの構成
図４は、同光発電−集熱ハイブリッドパネルを備える屋根パネルの構成を分解して示す分解斜視図、図５は、同屋根パネルの外観構成を示す斜視図、また、図６は、図５のＢ−Ｂ線に沿う断面図である。
上記構成の光発電−集熱ハイブリッドパネル１Ａは、縦長型の屋根パネル（横寸法１８０〜１９０ｃｍ、縦寸法４１０〜５１０ｃｍ）４Ａを工場で生産する際に、屋根下地パネル５の上面に設置されて屋根パネル４Ａを構成する。
屋根下地パネル５は、細長四角の屋根下地と、この屋根下地を支える屋根枠組とからなっている。屋根下地パネル５を構成する屋根下地は、構造用合板やパーティクルボード等の野地板５３と、石膏ボード等の屋根裏材５１との間に高断熱スチレンやウレタンフォーム（熱伝導率０．０２１〜０．０３５ＫＣａｌ／ｍｈ℃）等の断熱材５２を詰めて断熱構造とされ、さらに、野地板５３の上にアスファルトルーフィング（防水シート）５４を敷いて防水構造とされている。
また、屋根枠組は、屋根下地パネル５の長辺側側縁に配設される一対の取付縦桟（屋根構造部材）５５ａ，５５ａと、短辺側側縁に配設される一対の取付横桟（屋根構造部材）５５ｂ，５５ｂとから概略構成され、少なくとも、取付縦桟５５ａ，５５ａの背は、屋根裏材５１、断熱材５２、野地板５３、アスファルトルーフィング５４及び光発電−集熱ハイブリッドパネル１Ａの厚さの総和と略等しいか、それよりも幾分高めに設定されている。なお、取付縦桟５５ａ，５５ａの一端側（屋根棟側）には切欠Ｋが設けられていて、冷媒循環用のヘッダ８１，８２を配設できるようになっている。また、この例では、屋根下地パネル５の横幅は、光発電−集熱ハイブリッドパネル１Ａの横幅（ただし、両側の取付用フランジ２３２Ａを含めない横幅）と、略同一寸法に設定されている。一方、屋根下地パネル５の縦寸法を、光発電−集熱ハイブリッドパネル１Ａの縦寸法よりも少し長く設定することで、屋根棟側に冷媒循環用のヘッダ８１，８２を配設するためクリアランスを持たせている。
【００３６】
屋根パネル４Ａを製作するには、図４に示すように、まず、屋根裏材５１−断熱材５２−野地板５３−アスファルトルーフィング５４の順に貼り合わせて積層構造体とし、さらに、形成された積層構造体の四辺側端面に取付縦桟５５ａ，５５ａ、取付横桟５５ｂ，５５ｂを当てがい、外側から釘打ち固定して屋根下地パネル５を構成した後、屋根下地パネル５の上に、予め製作しておいた光発電−集熱ハイブリッドパネル１Ａを載置する（取付縦桟５５ａ，５５ａ、取付横桟５５ｂ，５５ｂで構成される屋根枠組の内側に納める）。このとき、上記したように、光発電−集熱ハイブリッドパネル１Ａは、底面平坦な構成とされ、また、屋根下地パネル５も上面平坦な構成とされているので、光発電−集熱ハイブリッドパネル１Ａの底面と屋根下地パネル５の上面とは完全な当接状態となる。一方、この状態では、上記した寸法設定から明らかなように、光発電−集熱ハイブリッドパネル１Ａの枠体２３（縦枠２３ａ，２３ａ）に設けられた取付用フランジ２３２，２３２は、屋根枠組の内側からはみ出して、取付縦桟５５ａ，５５ａの上面に当接状態となるので、取付用フランジ２３２，２３２を取付縦桟５５ａ，５５ａにビス止めして、図５及び図６に示す屋根パネル４Ａを完成させる。
【００３７】
ユニット建物の組立
図７は、ユニット建物の組立時、同屋根パネルを屋根ユニットの上に取付固定する様子を示す斜視図、図８は同部分断面図、図９は、この例で用いられる棟側屋根ユニットの構成を示す斜視図、また、図１０は、この例で用いられる軒先側屋根ユニットの構成を示す斜視図である。
上記構成の屋根パネル４Ａ，４Ａ，…は、工場で生産された後、図７に示すように、ユニット建物の組立現場に輸送され、据付の完了した棟側屋根ユニット６ａと軒先側屋根ユニット６ｂとの上に敷設されて、建物ユニット７，７，…等と共にユニット建物を構成する。
ここでは、棟側屋根ユニット６ａは、図９に示すように、ホームベース型の一対の妻小壁パネル６１，６１と、これらの妻小壁パネル６１，６１を連結する棟木６２とトラス梁６３，６３とから構成されている。また、軒先側屋根ユニット６ｂは、図１０に示すように、三角形状の一対の妻小壁パネル６４，６４と、これらの妻小壁パネル６４，６４を連結する継梁６５と軒梁６６とから構成されている。
屋根パネル４Ａは、図７に示すように、棟側の取付横桟５５ｂを棟側屋根ユニット６ａの棟木６２の上面に重ね置く状態で、トラス梁６３の上弦材６３ａ、軒先側屋根ユニット６ｂの継梁６５から、さらに軒梁６６にまで架け渡されて敷設され、緊結金物を用いて棟木６２、上弦材６３ａ、継梁６５、軒梁６６に固定され、順次、屋根パネル４Ａの幅方向に他の屋根パネル４Ａ，４Ａ，…も並設して屋根を構築する。なお、我国において屋根の北側斜面には、光発電−集熱ハイブリッドパネル１Ａを備えていない通常の屋根パネルが敷設されることは勿論である。
このようにして、屋根パネル４Ａ，４Ａ，…の敷設が完了すると、屋根パネル４Ａ，４Ａ，…の棟側にヘッダ８１，８２を配設し、各光発電−集熱ハイブリッドパネル１Ａ（集熱パネル３Ａ）内に設けられた冷媒通路３３Ａの入口端及び出口端を、継手を介して、対応するヘッダ８１，８２に連結する等の配管工事を行う。
【００３８】
住宅用ソーラシステムの構成
図１１は、住宅用ソーラシステムの構成を示す模式的断面図である。
屋根パネル４Ａ，４Ａ，…は、上記したように、建物ユニット７，７，…等とユニット建物を構成すると共に、同図に示すように、地上に設置される貯湯槽８３や図示せぬポンプ等と住宅用ソーラシステムを構成する。
すなわち、この例の住宅用ソーラシステムは、屋根パネル４Ａ，４Ａ，…に一体的に組み付けられた光発電−集熱ハイブリッドパネル１Ａと、住宅内の給湯設備９１，９２や温水床暖房設備９３に温水を供給するための貯湯槽８３と、光発電−集熱ハイブリッドパネル１Ａ（集熱パネル３Ａ）と貯湯槽８３との間を結んで、冷媒の循環路を構成するためのヘッダ８１，８２を含む配管８４，８５と、循環路内の冷媒を強制的に循環させるための図示せぬポンプとから概略構成され、太陽熱が不足する場合に備えて補助熱源８６も有している。
なお、この住宅用ソーラシステムは、これらの他、図示せぬインバータや蓄電器等によっても構成されているが、公知ゆえ以下の説明において省略する。また、この例では、好適な冷媒として、例えば、代替フロン等の気体や、エチレングリコール等の不凍液体等が用いられる。
【００３９】
次に、図１、図３及び図１１を参照して、この例のソーラシステムの動作について説明する。
屋根上で太陽に晒される光発電−集熱ハイブリッドパネル１Ａ（集熱パネル３Ａ）では、選択吸収膜３１を施された熱コレクタ３２Ａが太陽光Ｓによって加熱される。ポンプの強制力により、入口端から熱コレクタ３２Ａ内に供給された低温の冷媒は、熱コレクタ３２Ａ内の冷媒通路３３Ａを通過する間に熱コレクタ３２Ａから熱を吸収して温度上昇し、高温の冷媒となって出口端からヘッダ８２及び配管８５を経由して地上の貯湯槽８３に送られる。そして、そこで市水から得られた水に熱エネルギを与える。この熱交換により、低温になった冷媒は、再びポンプによって、配管８４及びヘッダ８１を経由して、熱コレクタ３２Ａに送られて、光発電−集熱ハイブリッドパネル１Ａ（集熱パネル３Ａ）と貯湯槽８３との間を循環する。なお、冷媒の循環によって、選択吸収膜３１を介して熱コレクタ３２Ａに密接する太陽電池モジュール２は冷却される。一方、貯湯槽８３で温められた水は、日中のみならず夜になっても蓄熱されて、必要に応じてキッチンや浴室の給湯設備９１，９２に供給され、寒期には温水床暖房設備９３にも供給されて、住宅の給湯負荷及び暖房熱負荷の低減に利用される。
【００４０】
このように、この例の光発電−集熱ハイブリッドパネル１Ａ（集熱パネル３Ａ）によれば、太陽電池モジュール２の裏面に取着される板状の熱コレクタ３２Ａの内部に、かつ、（太陽電池モジュールの裏面全域に対応する）熱コレクタの略全域に冷媒通路３３Ａが設けられているので、集熱効率が極めて高く、それゆえ、給湯負荷や暖房熱負荷の低減に寄与できる。
【００４１】
また、太陽電池モジュール２の枠体２３内に、集熱パネル３Ａを構成する板状の熱コレクタ３２Ａも嵌合状態に納設され、かつ、この熱コレクタ３２Ａの裏面と枠体２３の下面とが、略面一に設定されているので、屋根面に熱コレクタ３２Ａを密着載置して、屋根面と熱コレクタ３２Ａ裏面との間に放熱通気槽をなくすことができる。この例では、屋根下地が断熱構造であるので、屋根下地を介して熱が逃げることもなく、したがって、集熱パネルの集熱効率が一段と向上する。また、集熱パネルの集熱効率が向上すれば、太陽電池モジュール２も効果的に良く冷却されるので、太陽電池モジュール２の発電効率も向上する。
加えて、屋根への納まりが良く、屋根との一体化が容易となる。それゆえ、屋根瓦との違和感も解消される。
【００４２】
また、この例の光発電−集熱ハイブリッドパネル１Ａを備える屋根パネル４Ａによれば、建物の工業生産化率を一層高め、品質の画一化、価格低廉化、現場施工負担の軽減化を一層達成できる。また、冷媒として、例えば代替フロンやエチレングリコール等を用いるので、熱交換効率が向上し、したがって、給湯負荷や暖房熱負荷をさらに低減できる。
【００４３】
◇第２実施例
次に、この発明の第２実施例について説明する。
図１２は、この発明の第２実施例である光発電−集熱ハイブリッドパネルの構成を分解して示す分解斜視図、また、図１３は、同実施例における住宅用ソーラシステムの構成を示す模式的断面図である。
この第２実施例の光発電−集熱ハイブリッドパネル１Ｂが、上記した第１実施例のそれと大きく異なるところは、冷媒循環型の集熱パネル３Ａに代えて、図１２に示すように、冷媒封入型の集熱パネル３Ｂを用いて構成した点である。
すなわち、この例の集熱パネル３Ｂは、表面に選択吸収膜３１を施された板状の熱コレクタ３２Ｂの内部に、互いに隔壁で隔てられた複数のかつ縦長の冷媒封入空間３３Ｂ，３３Ｂ，…が、（太陽電池モジュール２の裏面全域に対応する略全域に亘り）並設されてなり、これらの冷媒封入空間３３Ｂ，３３Ｂ，…には代替フロンやエチレングリコール等の一次冷媒が半充填状態で密封されている。
なお、この例の光発電−集熱ハイブリッドパネル１Ｂ及び屋根パネルでは、循環型の冷媒通路３３Ａに代えて、冷媒密封空間３３Ｂ，３３Ｂ，…とした点以外の各部は、第１実施例の構成各部と略同一の構成であるので、第１実施例の構成部分と同一の構成各部には同一の符号を付してその説明を省略する。
【００４４】
また、この例のソーラシステムでは、冷媒循環型の光発電−集熱ハイブリッドパネル１Ａに代えて、冷媒密封型の光発電−集熱ハイブリッドパネル１Ｂを用いることとしたことに伴い、図１３に示すように、屋根パネル４Ｂの棟側にヘッダ８１，８２に代えて、一次冷媒と熱的に接触する熱交換部８８を設け、この熱交換部８８と貯湯槽８３との間を配管８６，８７で結んで、一次冷媒と同一組成の二次冷媒を循環させる循環路を構成するようにしている。
【００４５】
上記構成のソーラシステムでは、集熱パネル３Ｂ内の冷媒封入空間３３Ｂ，３３Ｂ，…に封入された一次冷媒は、太陽光Ｓから吸収した熱で温度上昇し、対流ないしは気化により熱交換部８８と熱的に接触する上端部に移動する。冷媒封入空間３３Ｂ，３３Ｂ，…の上端部に到達した一次冷媒は、熱交換部８８に移ることはできないが、熱交換部８８内の二次冷媒に熱を与える。これにより冷却した一次冷媒は、対流ないしは液化により冷媒封入空間３３Ｂ，３３Ｂ，…の下端部に沈み込む。下端部に沈み込んだ一次冷媒は、再び、太陽光Ｓから吸収した熱で温度上昇し、上述のサイクルを繰り返す。一方、二次冷媒は、ポンプの作用力により、熱交換部８８に送り込まれ、そこで一次冷媒から熱を与えられ、高温媒体となって貯湯槽８３に送られる。そして、貯湯槽８３に蓄えられる水に熱を与える。低温になった二次冷媒は、再び、配管８４を経由して屋根上の熱交換部８８に送られる。このように、二次冷媒は、熱交換部８８と蓄熱槽８３との間を循環して、集熱パネル３Ｂが太陽光Ｓから吸収した熱を貯湯槽８３に運ぶ。貯湯槽８３で温められた水は、日中のみならず夜になっても蓄熱されて、必要に応じてキッチンや浴室の給湯設備９１，９２に供給され、寒期には温水床暖房設備９３にも供給されて、住宅の給湯負荷及び暖房熱負荷の低減に利用される。
【００４６】
この第２実施例の構成によれば、第１実施例において述べたと略同様の効果を得ることができる。これに加えて、集熱パネル３Ｂ内に、一次冷媒が予め封入されているので、設置の際、集熱パネル３Ｂ内に冷媒を流し込む作業（冷媒通流用の配管ジョイント作業）を省略できる。それゆえ、設置作業が安全かつ簡易となる。
【００４７】
以上、この発明の実施例を図面により詳述してきたが、具体的な構成はこの実施例に限られるものではなく、この発明の要旨を逸脱しない範囲の設計の変更等があってもこの発明に含まれる。例えば、冷媒通路や冷媒封入空間の寸法形状及び形成方法は、必要に応じて変更できる。また、シリコン太陽電池セルを支える透明基板としては、透明ガラス基板に限らず、透明な硬質樹脂でも良い。また、シリコン太陽電池セルは、単結晶シリコンに限らず、多結晶シリコン、アモルファスシリコン等でも良い。また、上述の実施例では、太陽電池モジュールを表面ガラス樹脂ラミネートタイプに構成したが、これに限らず、ガラスサンドイッチタイプに構成しても良い。熱コレクタの材質は、アルミ等の金属に限らず、熱伝導率が高く、耐候性、耐熱性にも優れたものである限り、プラスチック、無機材等であっても良い。また、太陽電池モジュールの裏面に集熱パネルを接着する接着剤としては、ＥＶＡに限らず、例えば、シリコーン樹脂等のように、透明性が高く、熱伝導率が高いものであれば良い。また、ソーラシステム建物は、鉄骨系であると木質系であるとを問わない。
また、光発電−集熱ハイブリッドパネルを一体的に備える屋根パネルに対して、予め工場にて、妻小壁パネルやトラス梁等の支持構造部を取着して屋根ユニットを構成することもできる。
【００４８】
また、上述の第１実施例においては、冷媒循環型の集熱パネル３Ａ内に出入口を有するジグザグ状の冷媒通路３３Ａを設ける場合について述べたが（図１）、これに限らず、例えば、図１４に示す光発電−集熱ハイブリッドパネル１Ｃのように、集熱パネル３Ｃ内を冷媒が縦横に流れる分岐型の冷媒通路３３Ｃを設けるようにしても良い。また、冷媒通路３３Ａ，３３Ｃの出入口は、各１箇所に限定されない。
また、上述の第２実施例においては、冷媒封入型の集熱パネル３Ｂの内部に互いに隔壁で隔てられた複数のかつ縦長の冷媒封入空間３３Ｂ，３３Ｂ，…を設ける場合について述べたが（図１２）、これに限らず、例えば、図１５に示す光発電−集熱ハイブリッドパネル１Ｄのように、集熱パネル３Ｄ内を一次冷媒が規則的にあるいは無秩序に分流合流して流れる冷媒封入空間３３Ｄを設けるようにしても良い。あるいは、例えば、図１６に示す光発電−集熱ハイブリッドパネル１Ｅのように、両端が封止された多数のパイプ部材３３Ｅ，３３Ｅ，…を束にして冷媒封入空間を構成しても良い。
【００４９】
【発明の効果】
以上説明したように、この発明の光発電−集熱ハイブリッドパネルの構成によれば、請求項６及び７に具体的に記載したように、太陽電池モジュールの枠体内に、集熱パネルを構成する板状の熱コレクタも嵌合状態に納設され、かつ、この熱コレクタの裏面と枠体の下面とが、略面一に設定されているので、屋根面に熱コレクタを密着載置できるため、屋根面と熱コレクタ裏面との間に放熱通気槽をなくすことができる。そして、請求項１０に具体的に記載したように、屋根下地も断熱構造とすれば、屋根下地を介して熱が逃げることもなく、したがって、集熱パネルの集熱効率が一段と向上する。また、集熱効率の向上により、太陽電池モジュールも効果的に冷却されるので、発電効率の向上も期待できる。
加えて、太陽電池モジュールの裏面に取着される板状の熱コレクタの内部に冷媒通路が設けられているので、集熱効率が極めて高く、それゆえ、給湯負荷や暖房熱負荷の低減に寄与できる。
また、上記したように、屋根面に熱コレクタを密着載置できるため、屋根への納まりも良く、屋根との一体化が容易となるので、現場での取付施工負担を軽減できる。
また、この発明の構成の屋根パネル、屋根ユニットによれば、建物の工業生産化率を一層高め、品質の画一化、価格低廉化、現場施工負担の軽減化を促進することができる。
【００５０】
【図面の簡単な説明】
【図１】この発明の第１実施例である光発電−集熱ハイブリッドパネルの構成を分解して示す分解斜視図である。
【図２】同光発電−集熱ハイブリッドパネルの外観構成を概略示す斜視図である。
【図３】図２のＡ−Ａ線に沿う断面図である。
【図４】同光発電−集熱ハイブリッドパネルを備える屋根パネルの構成を分解して示す分解斜視図である。
【図５】同屋根パネルの外観構成を示す斜視図である。
【図６】図５のＢ−Ｂ線に沿う断面図である。
【図７】ユニット建物の組立時、同屋根パネルを屋根ユニットの上に取付固定する様子を示す斜視図である。
【図８】同ユニット建物の組立時、同屋根パネルを屋根ユニットの上に取付固定する様子を示す部分断面図である。
【図９】この例で用いられる棟側屋根ユニットの構成を示す斜視図である。
【図１０】この例で用いられる軒先側屋根ユニットの構成を示す斜視図である。
【図１１】同実施例における住宅用ソーラシステムの構成を示す模式的断面図である。
【図１２】この発明の第２実施例である光発電−集熱ハイブリッドパネルの構成を分解して示す分解斜視図である。
【図１３】同実施例における住宅用ソーラシステムの構成を示す模式的断面図である。
【図１４】第１実施例の変形例である光発電−集熱ハイブリッドパネルの構成を分解して示す分解斜視図である。
【図１５】第２実施例の変形例である光発電−集熱ハイブリッドパネルの構成を分解して示す分解斜視図である。
【図１６】第２実施例の別の変形例である光発電−集熱ハイブリッドパネルの構成を分解して示す分解斜視図である。
【符号の説明】
１Ａ，１Ｂ，１Ｃ，１Ｄ，１Ｅ      光発電−集熱ハイブリッドパネル
２      太陽電池モジュール
２ａ      太陽電池パネル
２１      シリコン太陽電池セル（太陽電池セル）
２２      透明ガラス基板（透明基板）
２３      枠体
３Ａ，３Ｂ，３Ｃ      集熱パネル
３１      選択吸収膜
３２Ａ，３２Ｂ      熱コレクタ
３３Ａ，３３Ｃ      冷媒通路
３３Ｂ，３３Ｄ      冷媒封入空間（密封空間、縦長空間）
３３Ｅ      パイプ部材（密封空間、縦長空間）
４Ａ，４Ｂ      屋根パネル
５      屋根下地パネル（屋根下地）
５１      屋根裏材
５２      断熱材
５３      野地板
５４      アスファルトルーフィング（防水シート）
５５ａ      取付縦桟（屋根枠材）
５５ｂ      取付横桟（屋根枠材）
８１，８２      ヘッダ（分配主管）
８３      貯湯槽（外部熱受容部）
８４，８５      配管
８８      熱交換部
９１，９２      給湯設備
９３      温水床暖房設備（暖房設備）
Ｓ      太陽光
【図１】
0003583871.tif 000002
【図２】
0003583871.tif 000003
【図３】
0003583871.tif 000004
【図４】
0003583871.tif 000005
【図５】
0003583871.tif 000006
【図６】
0003583871.tif 000007
【図７】
0003583871.tif 000008
【図８】
0003583871.tif 000009
【図９】
0003583871.tif 000010
【図１０】
0003583871.tif 000011
【図１１】
0003583871.tif 000012
【図１２】
0003583871.tif 000013
【図１３】
0003583871.tif 000014
【図１４】
0003583871.tif 000015
【図１５】
0003583871.tif 000016
【図１６】
0003583871.tif 000017